(57)【要約】【課題】皮膚を暖めず又乾燥させずに、自分が発する熱を有効に利用して短時間で血流を促進して体を暖め、多用途に利用できるマットを提供する。【解決手段】マット１０は、空気１６Ｂが密閉された密閉空気層１２と、空気２２と炭２４が密閉された炭入り密閉空気層１８を重ねた積層体の表面を、上面１２Ａを除いて遠赤外線反射シート２８と断熱材３０で覆い、上面１２Ａを綿層２６と通電性布カバー３２で覆った構造である。密閉空気層１２，１８内の空気は、対流が防止ないし抑制されている。マット１０に利用者が横たわると、人体からの熱によって、まず密閉空気層１２内の空気１６Ｂが加温され、次に炭入り密閉空気層１８内の空気２２と炭２４に熱が伝導し保温される。利用者の熱量を炭入り密閉空気層１８に保温することにより、炭２４を暖め遠赤外線放射を促し、熱量とともに利用者に反射して短時間で血液の循環を促進し、体を暖めることができる。【選択図】図１
2010046448.tif 000002
【特許請求の範囲】
【請求項１】
密閉パック内に空気が密閉されており、一方の主面側で人体の少なくとも一部を受ける第１の密閉空気層，
該第１の密閉空気層の他方の主面側に重ねられており、密閉パック内に空気と炭が密閉された第２の密閉空気層，
前記第１及び第２の密閉空気層を重ねた積層体の表面を、前記第１の密閉空気層の人体側の主面を除いて被覆する遠赤外線反射シート，
該遠赤外線反射シートの外側を同範囲で被覆する断熱材，
を備えるとともに、
前記第１及び第２の密閉空気層の密閉パック内に、密閉された空気の対流を防止ないし抑制するための多数の仕切りを設けたことを特徴とするマット。
【請求項２】
前記第１の密閉空気層の人体側の主面上に、綿層を設けたことを特徴とする請求項１記載のマット。
【請求項３】
前記第１の密閉空気層の人体側の主面、又は前記綿層の主面を覆う通電性の布カバー，を設けたことを特徴とする請求項１又は２記載のマット。
【請求項４】
前記マットが、寝具，家具，座布団のいずれか、又はこれらの組み合わせであることを特徴とする請求項１〜３のいずれかに記載のマット。
【発明の詳細な説明】
【技術分野】
【０００１】
本発明は、寝具，家具，座布団などとして利用されるマットに関し、更に具体的には、炭を利用したマットに関するものである。
【背景技術】
【０００２】
湯たんぽは、冷え性の人が、冬季に体を暖めて、寝付きを良くして就寝するために利用されている。このような湯たんぽとしては、例えば、下記特許文献１に開示された技術がある。
【特許文献１】特開２００３−２４３６３号公報
【発明の開示】
【発明が解決しようとする課題】
【０００３】
しかしながら、以上のような背景技術に示す湯たんぽは、寝具や人体のごく一部のみを暖めるもので、ほぼ全体を暖めるには不向きであるという不都合がある。また、本体に湯を沸かして入れる手間がかかるほか、人体から放出される熱量の活用や血流の促進効果についてまでは考慮されていない。更に、前記湯たんぽやカイロは皮膚を暖め、皮膚が乾燥したり傷んだりする恐れがある。
【０００４】
本発明は、以上の点に着目したもので、その目的は、人体の皮膚を乾燥させず、また皮膚を暖めず、自分が発する熱で血流を促進させて短時間で体を暖め、利用中に血流を促進することによって体調を整えることができるとともに、寝具類，家具類，座布団類など多用途に利用できるマットを提供することである。
【課題を解決するための手段】
【０００５】
前記目的を達成するため、本発明のマットは、密閉パック内に空気が密閉されており、一方の主面側で人体の少なくとも一部を受ける第１の密閉空気層，該第１の密閉空気層の他方の主面側に重ねられており、密閉パック内に空気と炭が密閉された第２の密閉空気層，前記第１及び第２の密閉空気層を重ねた積層体の表面を、前記第１の密閉空気層の人体側の主面を除いて被覆する遠赤外線反射シート，該遠赤外線反射シートの外側を同範囲で被覆する断熱材，を備えるとともに、前記第１及び第２の密閉空気層の密閉パック内に、密閉された空気の対流を防止ないし抑制するための多数の仕切りを設けたことを特徴とする。
【０００６】
主要な形態の一つは、前記第１の密閉空気層の人体側の主面上に、綿層を設けたことを特徴とする。他の形態は、前記第１の密閉空気層の人体側の主面、又は前記綿層の主面を覆う通電性の布カバー，を設けたことを特徴とする。更に他の形態は、前記マットが、寝具，家具，座布団のいずれか、又はこれらの組み合わせであることを特徴とする。本発明の前記及び他の目的，特徴，利点は、以下の詳細な説明及び添付図面から明瞭になろう。
【発明の効果】
【０００７】
本発明は、空気が密閉された第１の密閉空気層と、空気と炭が密閉された第２の密閉空気層を重ねた積層体の表面を、前記第１の密閉空気層の人体側の主面を除いて、遠赤外線反射シートと断熱材で被覆するとともに、前記第１及び第２の密閉空気層の密閉パック内に、密閉された空気の対流を防止ないし抑制するための多数の仕切りを設ける。そして、人体の熱をマットに保温し、溜めた熱量で炭を暖めて遠赤外線反射を促し、熱量とともに人体に反射させることとしたので、皮膚を暖めず、また乾燥させることなく、自分が発する熱を有効に利用して短時間で血液を循環させ、短時間で人体を暖めることができるという効果が得られる。
【発明を実施するための最良の形態】
【０００８】
以下、本発明を実施するための最良の形態を、実施例に基づいて詳細に説明する。
【実施例１】
【０００９】
最初に、図１を参照しながら本発明の実施例１を説明する。図１(A)は本実施例のマットを一部破断して示す斜視図，図１(B)は前記(A)を＃Ａ−＃Ａ線に沿って切断し、矢印方向に見た断面図，図１(C)及び(D)は使用例を示す断面図である。図１(A)及び(B)に示すように、本実施例のマット１０は、空気が密閉された密閉空気層（第１の密閉空気層）１２と、空気と炭が密閉された炭入り密閉空気層（第２の密閉空気層）１８を重ねた積層体の表面を、前記密閉空気層１２の人体側の主面（上面１２Ａ）を除いて遠赤外線反射シート２８と断熱材３０で覆い、前記上面１２Ａに綿層２６を設けた上で、表面を通電性布カバー３２で覆った構造となっている。前記綿層２６及び通電性布カバー３２は、必要に応じて設けるようにすればよい。
【００１０】
前記密閉空気層１２は、本実施例では上面１２Ａ，底面１２Ｂ，側面１２Ｃ〜１２Ｆからなる略６面体形状であって、内容物を密閉可能なパック１４内に空気１６Ｂが密閉されている。前記パック１４は、多数の細かい仕切り１６Ａによって仕切られており、前記空気１６Ｂの対流が防止ないし抑制されている。前記パック１４としては、空気を密閉可能な材質であれば、公知の各種の材質を用いることができるが、本実施例では、加工の容易性を考慮し、例えば、塩化ビニールにより形成されている。このような密閉空気層１２の上面１２Ａには、例えば、真綿により形成された綿層２６が設けられている。
【００１１】
一方、前記密閉空気層１２の底面１２Ｂ側に重ねられる炭入り密閉空気層１８は、本実施例では、上面１８Ａ，底面１８Ｂ，側面１８Ｃ〜１８Ｆからなる略６面体形状であって、内容物を密閉可能なパック２０内に、空気２２と炭２４が密閉されている。前記パック２０は、前記パック１４と同様の材質によって形成されており、その内側は多数の仕切り２１によって細かく仕切られている。該仕切り２１によって、密閉された空気２２は、パック２０内での対流が防止ないし抑制されている。また、前記炭２４としては、本実施例では粉末状の炭が利用されている。これは、炭２４を粉末状とすることにより、早く遠赤外線放射を促すことができるためである。
【００１２】
前記密閉空気層１２と炭入り密閉空気層１８を重ねた積層体は、人体を受ける密閉空気層上面１２Ａ以外の面，すなわち、密閉空気層１２の側面１２Ｃ〜１２Ｆ（１２Ｄ及び１２Ｆは図示せず）と炭入り密閉空気層１８の側面１８Ｃ〜１８Ｆ（１８Ｆは図示せず）及び底面１８Ｂが、遠赤外線反射シート２８によって覆われている。また、該遠赤外線反射シート２８の外側は、断熱性を有する断熱材３０によって覆われている。すなわち、前記断熱材３０によって、前記上面１２Ａ以外の範囲が覆われている。なお、本実施例では、前記上面１２Ａ上に設けられた綿層２６の側面も、前記遠赤外線反射シート２８及び断熱材３０によって覆われている。前記遠赤外線反射シート２８としては、例えば、アルミシートが用いられる。
【００１３】
更に、前記上面１２Ａに設けられた綿層２６の上には、通電性布カバー３２が設けられている。該通電性布カバー３２は、図示の例では、マット１０の底面以外の面を覆っているが、これは一例であり、前記上面１２Ａ側のみを被覆していればよい。前記通電性布カバー３２としては、例えば綿のような天然繊維を用いた布地や、炭混入布カバーが用いられる。以上のような構成のマット１０は、例えば、図１(C)に示すように、敷布団４０の上に敷かれ、その上に敷布（ないしシーツ）４２を掛けて、図１(B)に示すように利用者が横たわり就寝時などに利用される。あるいは、図１(D)に示すように、利用者の足５０を乗せるのに適した大きさに形成し、直に足５０を乗せて利用してもよい。
【００１４】
次に、本実施例の作用を説明する。ここでは、説明を簡単にするために、前記マット１０には、敷布が掛けられていないものとして説明する。前記マット１０の上に利用者が横たわったり座ったりすると、利用者（人体）からの熱がマット１０に伝導し、まず、密閉空気層１２内の空気１６Ｂが加温され、次に、その下に設けられた炭入り密閉空気層１８内の空気２２と炭２４に熱が伝導する。前記炭入り密閉空気層１８は、前記断熱材３０によって覆われているため、マット１０の利用者の体温は、炭入り密閉空気層１８を加温して保温され、前記空気２２及び炭２４を暖める。すると、暖まった炭２４からの遠赤外線放射が促進され、前記遠赤外線反射シート２８により利用者に集中放射され、血液の循環が促進される。同時に、利用者が発する遠赤外線も前記遠赤外線反射シート２８により反射され、更に、利用者からの熱量と内部に加温・保温された熱量が、無駄なくマット１０から利用者にはね返るため、短時間で体を暖めることができる。従って、前記マット１０を就寝の際に利用することにより、寝付きも良く、また、就寝中に血流を促進することによって体調を整えることができる。
【００１５】
このように、実施例１によれば、空気１６が密閉された密閉空気層１２の底面側に、空気２２と炭２４が密閉された炭入り密閉空気層１８を重ねた積層体の表面を、前記密閉空気層１２の上面１２Ａを除いて、遠赤外線反射シート２８と断熱材３０で被覆し、前記上面１２Ａを通電性布カバー３２で覆うこととした。また、前記密閉空気層１２及び炭入り密閉空気層１８内に仕切り１６Ａ及び２１を設けて、空気１６Ｂ及び２２の対流を防止ないし抑制することとした。このため、人体の熱をマット１０に保温して蓄積した熱量で炭２４を暖めて速やかに遠赤外線放射を促し、熱量とともに人体に集中的に反射させることによって、皮膚を乾燥させることがなく、自分が発する熱を有効に利用して短時間で血液の循環を促進させ、人体を暖めることができるという効果が得られる。また、前記上面１２Ａと通電性布カバー３２の間に、綿層２６を設けることとしたので、保温効率を上げることができる。
【００１６】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、密閉空気層１２及び炭入り密閉空気層１８の平面形状を、図１(A)に示すように略長方形としたが、これも一例であり、他の平面形状とすることを妨げるものではない。
(2)前記図１(C)及び(D)に示した使用例も一例であり、本発明のマットは、敷布団，掛布団，マットレスなどの寝具類や、家具類（図１(D)の使用例に示す足用マットなど）、座布団類など、人体の少なくとも一部を受けるマット全般に適用可能である。
【産業上の利用可能性】
【００１７】
本発明によれば、空気が密閉された第１の密閉空気層と、空気と炭が密閉された第２の密閉空気層を重ねた積層体の表面を、前記第１の密閉空気層の人体側の面を除いて、遠赤外線反射シートと断熱材で被覆する。また、前記第１及び第２の密閉空気層内に多数の仕切りを設けて密閉空気の対流を防止ないし抑制する。そして、人体の熱で第２の密閉空気層を加温してこれを保温し、溜めた熱量で炭を暖めて遠赤外線放射を促し、熱量とともに人体に反射させて、自分が発する熱を有効に利用して短時間で血液の循環を促進し、短時間で体を暖めることとしたので、人体の少なくとも一部を受けるマットの用途に適用できる。特に、冬季に利用する場合に好適であるほか、毎日の利用によって血行を高めて体調を整えることができるため、就寝具の用途に好適である。
【図面の簡単な説明】
【００１８】
【図１】本発明の実施例１を示す図であり、(A)はマットを一部破断して示す斜視図，(B)は前記(A)を＃Ａ−＃Ａ線に沿って切断し矢印方向に見た断面図，(C)及び(D)は使用例を示す図である。
【符号の説明】
【００１９】
１０：マット
１２：密閉空気層（第１の密閉空気層）
１２Ａ：上面
１２Ｂ：底面
１２Ｃ〜１２Ｆ：側面
１４：パック
１６Ａ：仕切り
１６Ｂ：空気
１８：炭入り密閉空気層（第２の密閉空気層）
１８Ａ：上面
１８Ｂ：底面
１８Ｃ〜１８Ｆ：側面
２０：パック
２１：仕切り
２２：空気
２４：炭
２６：綿層
２８：遠赤外線反射シート
３０：断熱材
３２：通電性布カバー
４０：敷布団
４２：敷布（シーツ）
５０：足
【図１】
2010046448.tif 000003